(57)【要約】      （修正有）【課題】簡易かつ迅速な操作が可能な携帯端末用充電器を提供する。【解決手段】携帯端末に充電するための携帯端末用充電器であって、蓋体を有する本体６を有し、本体６は携帯端末への充電を開始するための充電開始用スイッチ１２を備え、充電開始用スイッチ１２は、蓋体を開いた状態で現れる本体６の上面部分６ｂにおいて、少なくとも８分の１の面積を占める。【選択図】図１０
0003196777.tif 000002
【実用新案登録請求の範囲】
【請求項１】
携帯端末に充電するための携帯端末用充電器であって、蓋体を有する本体を有し、前記本体は携帯端末への充電を開始するための充電開始用スイッチを備え、前記充電開始用スイッチは、前記蓋体を開いた状態で現れる前記本体の上面部分において、少なくとも８分の１の面積を占める携帯端末用充電器。
【請求項２】
前記充電開始用スイッチは、前記蓋体を開いた状態で現れる前記本体の上面部分において、略４分の１の面積を占める請求項１に記載の携帯端末用充電器。
【請求項３】
前記充電開始用スイッチは、前記蓋体を開いた状態で現れる前記本体の上面部分の略全面を占める請求項１に記載の携帯端末用充電器。
【考案の詳細な説明】
【技術分野】
【０００１】
本考案は、携帯端末用充電器に関する。
【背景技術】
【０００２】
携帯電話機などの携帯端末は、仕事やプライベートにおける通信のみならず、各種のソフトウエアを使用する作業やエンターテインメントを楽しむ機能を有し、長時間の使用が常態化している。そして、外出先で電池切れとなることへ対応するために、緊急用の充電器が知られている（例えば、特許文献１）。
【先行技術文献】
【特許文献】
【０００３】
【特許文献１】特開２００７−２８８９５３号公報
【考案の概要】
【考案が解決しようとする課題】
【０００４】
ところで、携帯端末用の充電器の操作が煩雑であると、充電の作業が困難であるという問題がある。例えば、電池残量が非常に少ない場合に、携帯端末に充電器を接続する前に、電池が切れて、通信が切れたり、作業やゲームが途中で中断してしまう。
【０００５】
本考案はかかる問題の解決を試みたものであり、簡易かつ迅速な操作が可能な携帯端末用充電器の提供を目的とする。
【課題を解決するための手段】
【０００６】
第一の考案は、携帯端末に充電するための携帯端末用充電器であって、蓋体を有する本体を有し、前記本体は携帯端末への充電を開始するための充電開始用スイッチを備え、前記充電開始用スイッチは、前記蓋体を開いた状態で現れる前記本体の上面部分において、少なくとも８分の１の面積を占める携帯端末用充電器である。
【０００７】
第一の考案の携帯端末用充電器においては、充電開始用スイッチは、蓋体を開いた状態において現れる本体の上面部分において、少なくとも８分の１と大きな面積を占めるから、簡易且つ迅速な操作が可能である。
【０００８】
第二の考案は、第一の考案における前記充電開始用スイッチが、前記蓋体を開いた状態で現れる前記本体の上面部分において、略４分の１の面積を占める携帯端末用充電器である。
【０００９】
第二の考案の携帯端末用充電器においては、充電開始用スイッチは、蓋体を開いた状態において現れる前記本体の上面部分において、略４分の１と大きな面積を占めるから、使用者は充電開始用スイッチの位置を確認する必要がなく、簡易且つ迅速な操作が可能である。
【００１０】
第三の考案は、第一の考案における前記充電開始用スイッチが、前記蓋体を開いた状態で現れる前記本体の上面部分の略全面を占める携帯端末用充電器である。
【００１１】
第三の考案の携帯端末用充電器においては、充電開始用スイッチは、蓋体を開いた状態において現れる前記本体の上面部分において、略全面を占めるから、使用者は、単に、前記本体の上面部分のいずれかの部分を押圧すれば充電開始できるから、簡易且つ迅速な操作が可能である。
【考案の効果】
【００１２】
以上のように、本考案の携帯端末用充電器によれば、簡易かつ迅速な操作が可能である。
【図面の簡単な説明】
【００１３】
【図１】携帯端末用充電器１の斜視図である。
【図２】携帯端末用充電器１に接続する接続用コードを示す図である。
【図３】携帯端末用充電器１の平面図である。
【図４】携帯端末用充電器１の底面図である。
【図５】携帯端末用充電器１の正面図である。
【図６】携帯端末用充電器１の背面である。
【図７】携帯端末用充電器１の左側面図である。
【図８】携帯端末用充電器１の右側面図である。
【図９】携帯端末用充電器１の蓋体を開いた状態を示す図である。
【図１０】蓋体を開いた状態の本体を示す斜視図である。
【考案を実施するための形態】
【００１４】
本考案の実施形態を、以下の実施例に従って説明する。
【００１５】
図１、５〜９に示すように、携帯端末用充電器１は、本体６と蓋体４を有する。図９及び図１０に示すように、本体６は携帯端末（図示せず）への充電を開始するための充電開始用スイッチ１２を備える。この充電開始用スイッチ１２は、蓋体４を開いた状態で現れる本体６の上面部分６ｂにおいて、略４分の１の面積を占める。充電開始用スイッチ１２は、平面視が円形であり、全体的な形状は凸状である。蓋体４は、底部分がない箱状であり、図１、７及び９に示すように、壁部４ａを有し、壁部４ａは切欠き部４ｂを有する。蓋体４はまた、ミラー部４ｃを有する。
【００１６】
なお、本実施例における充電開始用スイッチ１２は、上面部分６ｂにおいて、略４分の１の面積を占めるが、本考案は本実施例に限定されず、充電開始用スイッチ１２は本体６の上面部分の略全面を占めてもよい。しかし、充電開始用スイッチ１２の面積が、小さすぎると、簡易迅速な充電操作という本考案の効果が発揮できないから、少なくとも、８分の１を占める必要がある。また、本実施例における充電開始用スイッチ１２は平面視が円形であるが、この形状に限定されず、例えば、平面視が楕円形であってもよいし、矩形であってもよい。
【００１７】
本体６と蓋体４は、ヒンジ２によって、開閉可能な状態で接続されている。図９に示すように、本体６と蓋体４が閉じた状態において、本体６の蓋体受け部６ａが蓋体４の壁部４ａとが接触するようになっている。図９及び１０に示すように、開閉ボタン８には、爪８ａが配置され、蓋部４裏面の係止用溝（図示せず）と係合するようになっている。そして、開閉ボタン８が押圧されると、爪８ａと蓋部４裏面の係止用溝との係合が解放され、開閉可能な状態になる。また、図９に示すように、本体６と蓋体４とが開いた状態において、蓋体４の裏面に配置されたミラー４ｃが現れるようになっている。すなわち、携帯端末用充電器１は、化粧用具のコンパクトのような構造になっており、女性が違和感なく使用できるようになっている。
【００１８】
図９及び図１０に示すように、本体６の上面部分６ｂには、充電開
始用スイッチ１２のほかに、充電の状態を示す充電状態表示ＬＥＤ１４と、図２のケーブル２０を格納するケーブル格納部１６を備える。充電状態表示ＬＥＤ１４は表示窓が４つあり、充電開始用スイッチ１２を押圧すると、内臓電池が満充電の状態においては４つとも点灯し、電池残量が減るにしたがって、点灯するＬＥＤの数が減るようになっており、内臓電池の電池残量を表示できるようになっている。ケーブル２０は、大プラグ２０ａと小プラグ２０ｂを有する。
【００１９】
図１、７、９及び１０に示すように、本体６は、大プラグ接続用端子１０を有する。大プラグ接続用端子１０は、蓋体４を閉じた状態において、蓋体４の切欠き部４ｂから外部に露出するようになっている。携帯端末への充電時には、ケーブル２０の大プラグ２０ａが大プラグ接続用端子１０に接続され、ケーブル２０の小プラグ２０ｂが携帯端末側の端子に接続されるようになっている。
【００２０】
図１０に示すように、本体６は、小プラグ接続用端子１８を有する。小プラグ接続用端子１８は、蓋体４を閉じた状態においては外部に露出せず、蓋体４を開いた状態で使用可能になっている。携帯端末用充電器１の内臓電池への給電時には、ケーブル２０の小プラグ２０ｂが小プラグ接続用端子１８に接続され、ケーブル２０の大プラグ２０ａが外部のパーソナルコンピュータのＵＳＢ端子に接続されるようになっている。
【００２１】
以上説明したように、携帯端末用充電器１は、蓋体４を開状態にすると、本体６の上面部分６ｂにおける操作部分は、図９及び１０に示すように、充電開始用スイッチ１２だけであり、しかも、充電開始用スイッチ１２は、本体６の上面６ｂにおいて略４分の１という大きな面積を占めるから、使用者は簡易かつ迅速に操作することができる。
【００２２】
なお、本考案の携帯端末用充電器は、上記実施例の形態に限らず、
本考案の要旨を逸脱しない範囲内において種々変更を加えることができる。
【符号の説明】
【００２３】
１ 携帯端末用充電器
２ ヒンジ
４ 蓋体
４ａ  壁部
４ｂ  切欠き部
４ｃ  ミラー
６ 本体
６ａ  蓋体受け部
６ｂ  本体上面部
８ 開閉ボタン
８ａ  爪
１０  大プラグ接続用端子
１２  充電開始用スイッチ
１４   充電状態表示用ＬＥＤ
１６  ケーブル格納部
１８  小プラグ接続用端子
２０  ケーブル
【図１】
0003196777.tif 000003
【図２】
0003196777.tif 000004
【図３】
0003196777.tif 000005
【図４】
0003196777.tif 000006
【図５】
0003196777.tif 000007
【図６】
0003196777.tif 000008
【図７】
0003196777.tif 000009
【図８】
0003196777.tif 000010
【図９】
0003196777.tif 000011
【図１０】
0003196777.tif 000012